(57)【特許請求の範囲】
【請求項１】
取付け物に係止具を用いて取付けるための被取付材において、被取付材に内面部に係止突部を有する凹所を設け、凹所の底に凹所幅よりも小径の外部に開口する孔を連通形成し、係止溝部を有する本体部に本体部よりも小径のはめ込み突部を突設すると共にはめ込み突部の先端に係止手段を設けて係止具を形成し、係止具の本体部を凹所内に配設して係止突部を係止溝部に係止すると共に、はめ込み突部が孔を挿通して被取付材の表面から突出させたものであって、上記被取付材が上下に積み重ねできる形状のものであり、係止具の本体部に被取付材の表面から突出するはめ込み突部をはめ込むことができる凹溝を設けてあることを特徴とする係止具付き被取付材。
【発明の詳細な説明】
【０００１】
【発明の属する技術分野】
本発明は、取付け物に係止具を用いて取付けるための被取付材に関するものである。
【０００２】
【従来の技術】
従来から取付け物に被取付材を取付けるに当たっては、例えば、先端に係止突部を有するはめ込み突部を被取付材に一体に形成し、取付け物に設けた孔にはめ込み突部をはめ込んで孔に係止突部を係止することで、被取付材を取付け物に取付けるようになっている。
【０００３】
ところが、このような従来例にあっては、被取付材に係止突部を有するはめ込み突部を一体に突設形成するため、合成樹脂製品などにおいては金型構造が複雑となり、金型コストが高くなるという問題があり、また、はめ込み突部が破損しても交換できないという問題があり、被取付材に係止突部を有するはめ込み突部を一体に突設形成しているので、係止突部を有するはめ込み突部が邪魔になって被取付材を多段に積み重ねて搬送したり、ストックしたりすることができないという問題がある。
【０００４】
また、取付け物に被取付材を取付ける他の従来例としては、被取付け材とは別に係止具を形成し、被取付材の孔と取付け物の孔とを位置合わせして連通させた状態で、係止具のはめ込み突部を上記被取付材の孔と取付け物の孔とに挿通してはめ込み突部の係止突部を取付け物の孔の縁に係止するようにしている。
【０００５】
ところが、この従来例にあっては、被取付材を取付け物に取付けるに当たって、上記のように、被取付材の孔と取付け物の孔とを位置合わせして連通させた状態で、係止具のはめ込み突部を上記被取付材の孔と取付け物の孔とに挿通する作業が面倒で、取付け作業がしにくいという問題があり、また、被取付材と係止具とは被取付材の孔への係止具の挿入により連結してあるだけなので、被取付材に対して係止具ががたつきやすくて取付け強度が弱いという問題があり、また、被取付材を取付け物に取付けていない状態では、係止具を被取付材に確実に取付けておくことができないので、係止具を紛失しやすいという問題がある。
【０００６】
【発明が解決しようとする課題】
本発明は上記の従来例の問題点に鑑みて発明したものであって、取付け物に被取付材を取付けるに当たって、係止具が別体であるにもかかわらず、被取付材を簡単且つ強固に取付け物に取付けることができ、また、別体の係止具を紛失したりするおそれもなく、係止具が破損した場合にも簡単に係止具を交換することで対応でき、更に、係止具を取付けた状態で、係止具に邪魔されることなく被取付材を多段に積み重ねることができるとともに積み重ねた状態で横にずれるのを防止できる係止具付き被取付材を提供することを課題とするものである。
【０００７】
【課題を解決するための手段】
上記課題を解決するために、本発明の係止具付き被取付材は、取付け物Ａに係止具９を用いて取付けるための被取付材Ｂにおいて、被取付材Ｂに内面部に係止突部７ｅを有する凹所７ｃを設け、凹所７ｃの底に凹所７ｃ幅よりも小径の外部に開口する孔７ｄを連通形成し、係止溝部９ｄを有する本体部９ｂに本体部９ｂよりも小径のはめ込み突部９ｃを突設すると共にはめ込み突部９ｃの先端に係止手段を設けて係止具９を形成し、係止具９の本体部９ｂを凹所７ｃ内に配設して係止突部７ｅを係止溝部９ｄに係止すると共に、はめ込み突部９ｃが孔７ｄを挿通して被取付材Ｂの表面から突出させたものであって、上記被取付材Ｂが上下に積み重ねできる形状のものであり、係止具９の本体部９ｂに被取付材Ｂの表面から突出するはめ込み突部９ｃをはめ込むことができる凹溝９ａを設けてあることを特徴とするものである。このような構成とすることで、係止具９をあらかじめ被取付材Ｂに取付けておくことができて、被取付材Ｂを取付け物Ａに係止具９で取付ける作業が簡略化できるものであり、しかも、この場合、係止具９は本体部９ｂが凹所７ｃ内に配設されて係止突部７ｅを係止溝部９ｄに係止するので、確実且つ強固に被取付材Ｂに取付けられることになる。
【０００８】
また、被取付材Ｂが上下に積み重ねできる形状のものであり、係止具９の本体部９ｂに被取付材Ｂの表面から突出するはめ込み突部９ｃをはめ込むことができる凹溝９ａを設けてあるので、被取付材Ｂに係止具９をあらかじめがたつかないように強固に取付けてはめ込み突部９ｃを被取付材Ｂの表面から突出させたものであるにもかかわらず、係止具９付きの被取付材Ｂを上下に多段に積み重ねた状態で下段の係止具９のはめ込み突部９ｃが上段の係止具９の凹溝９ａ内にはめ込まれることになって、上下多段積みが支障なく行えるものであり、また、下段の係止具９のはめ込み突部９ｃが上段の係止具９の凹溝９ａ内にはめ込まれることで、積み重ねた被取付材Ｂが横にずれるのを防止することができることになる。
【０００９】
【発明の実施の形態】
本発明を以下添付図面に示す実施形態に基づいて詳述する。
【００１０】
添付図面に示す実施形態においては、取付け物Ａがパレット１１、被取付材Ｂがパレット１１に取付けるための底面ボード７の例を示している。
【００１１】
以下、取付け物Ａをパレット、被取付材Ｂを底面ボード７として説明する。
【００１２】
取付け物Ａであるパレット１１はスキッドパレットと称されるシート状のパレットであり、ポリプロピレン又は再生ポリプロピレン等の合成樹脂を射出成形法やプレス成形法により一体成形して形成してある。このパレット１１は図１３乃至図１７に示すように、平面視正方形状又は長方形状をした四角形の板状の載置部１に上面側が上方に開口した凹部２となり且つ下面側が凹部２にはめ込むことができる形状の下方に突出した突部３となった形状の複数の脚部４を縦横に複数列、複数行垂設して構成してある。すなわち、脚部４は平面視における形状が下に行くほど小さくなっていて、凹部２に突部３をはめ込むことができるようにしてある。
【００１３】
図１４にはパレット１１の下面図が示してあり、パレット１１の下面において脚部４間がフォーク差込み部６となっている。
【００１４】
そして、パレット１１の縦方向または横方向のいずれか一方において隣接する脚部４の下面部間に底面ボード７を底面ボード７とは別体の係止具９により着脱自在に取付けてある。
【００１５】
被取付物Ｂである底面ボード７は図２に示すようなもので、平面視帯状をした細長い扁平筒状をしており、合成樹脂の押出し成形により形成してあり、合成樹脂の押し出し成形により形成された押し出し成形品をパレット１１のサイズに対応した長さで長手方向（押し出し方向）と直交する方向に切断することで、目的とするサイズのパレット１１に使用する底面ボード７を形成するものであり、この底面ボード７は上下に多段に積み重ねることができる形状となっている。ここで、底面ボード７の押し出し方向である長手方向にはリブ７ａが長手方向に連続して形成されて長手方向と直交する方向に対する撓みに対して強い強度の梁構造となるものである。また底面ボード７の長手方向と直交する方向の側面が下に行くほど外側となるように傾斜した傾斜面７ｂとなっている。更に底面ボード７の中央部は長手方向の全長にわたり下方に開口する凹所７ｃが設けてあり、凹所７ｃの両側面部には対向して長手方向の全長にわたる係止突部７ｅが突設してある。上記のように押し出し成形により形成された底面ボード７の上面部の長手方向の所定位置には押し出し成形後に複数の孔７ｄが形成してあり、この孔７ｄは上記凹所７ｃの幅方向の中央部に開口している。孔７ｄの穿孔位置はパレット１１の縦方向又は横方向に底面ボード７を架設するに当たって、縦方向又は横方向に隣接して設けた各脚部４の中心に孔７ｄが位置するように穿孔するものである。したがって、パレット１１のサイズや脚部４間の距離により穿孔する孔７ｄの位置が決定されるものである。
【００１６】
係止具９は図３に示すようなもので、内部が少なくとも下方に開口した凹溝９ａとなった筒状をした本体部９ｂの上部に本体部９ｂよりも小径の筒状をしたはめ込み突部９ｃが一体に突設してあり、本体部９ｂの外周部には環状をした係止溝部９ｄが設けてある。また、はめ込み突部９ｃの上端部の外端部には上程内側となるように傾斜したテーパ部を有する係止突起９ｅが設けてあって係止手段を構成しており、また筒状をしたはめ込み突部９ｃは複数の割り溝９ｆが上端部から下方に向けて形成してあって係止突起９ｅを有するはめ込み突部９ｃが弾性変形をしやすいようになっている。
【００１７】
上記構成の係止具９ははめ込み突部９ｃを底面ボード７に設けた孔７ｄに凹所７ｃ側からはめ込んで、係止突部７ｅに係止溝部９ｄを係止することで底面ボード７に係止具９を確実且つ強固に取付けて図１に示すような本発明の係止具９付き被取付材Ｂを構成するのである。
【００１８】
ここで、はめ込み突部９ｃを孔７にはめ込む際、前述のように割り溝９ｆを設けることで、はめ込み突部９ｃを弾性変形させて容易に孔７ｄに通すことができるものである。係止具９を底面ボード７に取付けた状態で、図１に示すように係止具９のはめ込み突部９ｃが底面ボード７の上面から上方に突出するものであり、また、係止具９の本体部９ｂの下端部が凹所７ｃの下端又は凹所７ｃの下端よりも若干上に位置するようになっている。そして、係止具９を取付けた底面ボード７を上下に多段に積み重ねた状態で、下段の底面ボード７の上面に上段の底面ボード７の下面が載置され、下段の底面ボード７の上面より上方に突出したはめ込み突部９ｃがちょうど上段の底面ボード７に取付けた係止具９の凹溝９ａ内にはめ込まれ、これにより係止具９のはめ込み突部９ｃを突設した底面ボード７を上下多段に嵩低く積み重ねることができるようになっている。この状態では図４に示すように、下段のはめ込み突部９ｃが上段の凹溝９ａにはめ込まれることで、上下に積み重ねた底面ボード７が横にずれるのが防止できて安定した積み重ねができるようになっている。このようにして係止具９を取付けた底面ボード７を積み重ねて搬送、保管しておくものである。
【００１９】
パレット１１の縦方向または横方向のいずれか一方において隣接する脚部４の下面部間に底面ボード７を別体の係止具９により着脱自在に取付けるに当たっては、上記のようにして構成した別体の係止具９をあらかじめ取付けた係止具９付き底面ボード７を、パレット１１の縦方向または横方向のいずれか一方において隣接する脚部４の下面部間に配置して底面ボード７の上面を脚部４の下面に当接すると共に、係止具９の上面から上方に突出しているはめ込み突部９ｃを脚部４の孔８にはめ込んで孔８の上面側の縁部にはめ込み突部９ｃに設けた係止突起９ｅを係止し、これによりパレット１１の隣接する脚部４に底面ボード７が着脱自在に取付けられるものである。この場合、前述のように割り溝９ｆを設けることで、はめ込み突部９ｃを弾性変形させて容易に孔８に通して係止できるものである。
【００２０】
しかして、上記のような構成の運搬用パレットにおいて、使用しない時にはパレット１１に底面ボード７を取付けない状態で、図１８に示すように、下段の空のパレット１１の脚部４の上面側の上方に開口した凹部２に、上段の空のパレット１１の脚部４の下面部の下方に突出した突部３をはめ込んで積み重ねるというように上下に多段に空のパレット１１を積み重ねるものであり、このようにすることで、上下の積み重ね高さを低くして嵩を低くでき、この状態で保管したり、運搬したりするものである。
【００２１】
一方、使用に当たっては、前述のようにしてパレット１１の縦方向または横方向のいずれか一方において隣接する脚部４の下面部間に底面ボード７を別体の係止具９により着脱自在に取付けた状態で使用するものである。このように底面ボード７を取付けたパレット１１の載置部１の上に載置物Ａを載置し、この状態で、フォーク差込み部６にフォークリフトのフォークを差し込んでパレット１１を持ち上げて移動するのであるが、この際、脚部４の下面部間に架設される底面ボード７によりパレット１１の撓みが防止されるものである。
【００２２】
また、パレット１１の使用が終わるとパレット１１から底面ボード７を取り外し、前述のように、パレット１１のみを図１８のように上下に多段にはめ込んで嵩を低くして積み重ね、また、係止具９付き底面ボード７を図４のように上下多段に積み重ね、この状態で、保管したり、運搬したりするものである。
【００２３】
上記実施形態では、取付け物Ａがパレット１１、被取付材Ｂが底面ボード７の例につき説明したが、この実施形態にのみ限定されず、種々の取付け物Ａに種々の被取付材Ｂを取付けるに当たって、本発明の技術に基づいて、被取付材Ｂにあらかじめ係止具９を取付けるようにすることができるのはもちろんである。特に、被取付材Ｂ、係止具９が合成樹脂の場合には被取付材Ｂと係止具９とを一体成形するものに比べ、被取付材Ｂと係止具９とを別体に形成することで、金型が複雑とならず、金型コストを低下できるとともに、被取付材Ｂを前述の実施形態のように押し出し成形により形成したものにおいては、押し出し成形により形成した被取付材Ｂであっても別体の取付け具９を取付けることで、はめ込み突部が被取付材Ｂの表面から突出するような構成に簡単にできるものである。
【００２４】
【発明の効果】
本発明にあっては、上述のように、被取付材に内面部に係止突部を有する凹所を設け、凹所の底に凹所幅よりも小径の外部に開口する孔を連通形成し、係止溝部を有する本体部に本体部よりも小径のはめ込み突部を突設すると共にはめ込み突部の先端に係止手段を設けて係止具を形成し、係止具の本体部を凹所内に配設して係止突部を係止溝部に係止すると共に、はめ込み突部が孔を挿通して被取付材の表面から突出させてあるので、係止具をあらかじめ被取付材に確実且つ強固に取付けておくことができて、この結果、取付け物に被取付材を取付けるに当たって、係止具が別体であるにもかかわらず、被取付材を簡単且つ強固に取付け物に取付けることができて、被取付材を取付け物に係止具により取付ける作業が簡略化できるものであり、また、取付け物に被取付材を取付けていない状態であっても、別体の係止具が被取付材に確実且つ強固に取付けられるので別体の係止具を紛失したりするおそれもなく、係止具が破損した場合にも簡単に係止具を交換することで対応できて被取付材まで廃棄する必要がないものであり、また、係止具が被取付材とは別体であるので、被取付材に係止具を一体成形するものに比べて、金型が複雑とならず、コストを低減でできるものである。
【００２５】
また、本発明は上記効果に加えて、被取付材が上下に積み重ねできる形状のものであり、係止具の本体部に被取付材の表面から突出するはめ込み突部をはめ込むことができる凹溝を設けてあるので、係止具付き被取付材を、係止具に邪魔されることなく多段に積み重ねることができるとともにはめ込み突部が凹溝にはめ込まれるので積み重ねた状態で横にずれるのを防止できるものである。
【図面の簡単な説明】
【図１】本発明の係止具付き被取付材の断面図である。
【図２】同上に用いる被取付材を示し、（ａ）は断面図であり、（ｂ）は一部省略平面図である。
【図３】同上に用いる係止具を示し、（ａ）は平面図であり、（ｂ）は正面図であり、（ｃ）は断面図である。
【図４】同上の係止具付き被取付材を上下多段に積み重ねた状態の断面図である。
【図５】同上の被取付材が底面ボード、取付け物がパレットの場合において、パレットに底面ボードを取付けた状態の側面図である。
【図６】同上の正面図である。
【図７】同上の底面図である。
【図８】同上の平面図である。
【図９】同上の図８のＡーＡ線の断面図である。
【図１０】同上の図８のＢーＢ線の断面図である。
【図１１】同上の図８のＣーＣ線の断面図である。
【図１２】同上の要部拡大断面図である。
【図１３】同上の取付け物であるパレットの正面図である。
【図１４】同上の側面図である。
【図１５】同上の底面図である。
【図１６】同上の平面図である。
【図１７】同上の断面図である。
【図１８】同上底面ボードを取外したパレットを空の状態で積み重ねた断面図である。
【符号の説明】
Ａ  取付け物
Ｂ  被取付材
７ｃ  凹所
７ｄ  孔
７ｅ  係止突部
９  係止具
９ａ  凹溝
９ｂ  本体部
９ｃ  はめ込み突部
９ｄ  係止溝部
【図１】
0004279942.tif 000002
【図２】
0004279942.tif 000003
【図３】
0004279942.tif 000004
【図４】
0004279942.tif 000005
【図５】
0004279942.tif 000006
【図６】
0004279942.tif 000007
【図７】
0004279942.tif 000008
【図８】
0004279942.tif 000009
【図９】
0004279942.tif 000010
【図１０】
0004279942.tif 000011
【図１１】
0004279942.tif 000012
【図１２】
0004279942.tif 000013
【図１３】
0004279942.tif 000014
【図１４】
0004279942.tif 000015
【図１５】
0004279942.tif 000016
【図１６】
0004279942.tif 000017
【図１７】
0004279942.tif 000018
【図１８】
0004279942.tif 000019